(57)【特許請求の範囲】
【請求項１】
マルチコンセントであって、
内部にケーブル類及びプラグを収納することができる収納空間が形成されたプラグ収納体と、
前記プラグ収納体に取り付けられる、前記収納空間を開閉するための閉鎖カバーと、
前記閉鎖カバーの内側に設けられた少なくとも１つの常時電源供給プラグ接続端子と、
前記閉鎖カバーの外側に設けられた少なくとも１つの随時電源供給プラグ接続端子とを含み、
前記閉鎖カバーの下部において、ケーブル巻取ドラムが、前記ケーブル類を巻回可能な周方向に延びる凹部を画定するように突出形成され、前記閉鎖カバーの前記下部は、前記プラグ収納体の上縁部の開口孔に嵌合されて前記収納空間内に嵌め込まれることを特徴とするマルチコンセント。
【請求項２】
前記プラグ収納体の下部の隅において、前記ケーブル類を進入させることができる進入口が地面から所定間隔離間して形成されており、
前記プラグ収納体の底面において、前記ケーブル類を通過させることができる誘導孔が形成されていることを特徴とする請求項１に記載のマルチコンセント。
【請求項３】
前記プラグ収納体の上縁部において、湾曲した弧形状を有する開口孔が形成されていることを特徴とする請求項１に記載のマルチコンセント。
【請求項４】
前記ケーブル巻取ドラムが、前記常時電源供給プラグ接続端子及び前記随時電源供給プラグ接続端子に電気的に接続して外部電源を供給することができる電源入力ケーブルを含むことを特徴とする請求項１に記載のマルチコンセント。
【請求項５】
前記閉鎖カバーが、前記電源入力ケーブルに電気的に接続された、前記電源入力ケーブルを通じて供給される電源を制御するためのメインスイッチを含むことを特徴とする請求項４に記載のマルチコンセント。
【請求項６】
前記閉鎖カバーが、前記各常時電源供給プラグ接続端子に供給される電源を制御するための個別スイッチを含むことを特徴とする請求項１に記載のマルチコンセント。
【請求項７】
マルチコンセントであって、
内部にケーブル類及びプラグを収納することができる収納空間が形成されたプラグ収納体と、
前記プラグ収納体の一側に選択的に結合される閉鎖カバーと、
前記閉鎖カバーに設けられ、前記プラグ収納体内に収納されたプラグ及び前記プラグ収納体外に位置するプラグを接続することができる電源接続部とを含み、
前記閉鎖カバーの下部において、ケーブル巻取ドラムが、前記ケーブル類を巻回可能な周方向に延びる凹部を画定するように突出形成され、前記閉鎖カバーの前記下部は、前記プラグ収納体の上縁部の開口孔に嵌合されて前記収納空間内に嵌め込まれることを特徴とするマルチコンセント。
【請求項８】
前記電源接続部が、
前記収納空間側に開口した、長期間接続がなされる１つ以上の常時電源供給プラグ接続端子と、
前記プラグ収納体の外部に開口した、頻繁な接続動作がなされる少なくとも１つ以上の随時電源供給プラグ接続端子とを含むことを特徴とする請求項７に記載のマルチコンセント。
【請求項９】
前記プラグ収納体の下部の隅において、前記ケーブル類を進入させることができる進入口が地面から所定間隔離間して形成されており、
前記プラグ収納体の底面において、前記ケーブル類を通過させることができる誘導孔が形成されていることを特徴とする請求項７に記載のマルチコンセント。
【請求項１０】
前記プラグ収納体の上縁部において、湾曲した弧形状を有する開口孔が形成されていることを特徴とする請求項７に記載のマルチコンセント。
【請求項１１】
前記ケーブル巻取ドラムが、前記電源接続部に電気的に接続して外部電源を供給することができる電源入力ケーブルを含むことを特徴とする請求項７に記載のマルチコンセント。
【請求項１２】
前記閉鎖カバーが、前記電源入力ケーブルに電気的に接続された、前記電源入力ケーブルを通じて供給される電源を制御するためのメインスイッチを含むことを特徴とする請求項１１に記載のマルチコンセント。
【請求項１３】
前記閉鎖カバーが、前記各常時電源供給プラグ接続端子に供給される電源を制御するための個別スイッチを含むことを特徴とする請求項８に記載のマルチコンセント。
【発明の詳細な説明】
【技術分野】
【０００１】
本発明は、マルチコンセント（マルチタップコンセント）に関し、より詳細には、マルチコンセントの構造を改善することによって使用安全性の向上及び周辺の美観の維持は勿論、接続端子の動作を制御するための個別スイッチを外部に露出させて接続端子の制御動作を便利に行えるようにすることにより、エネルギーの節約及び利便性の向上を可能にした、電気製品に接続されたケーブル類の余剰部分の整理に便利なマルチコンセントに関する。
【背景技術】
【０００２】
一般的に、家庭や会社では多様な形態のコンセントが多用途に使用されているが、その中でも、電源を必要とする多数の電気製品（例えば、コンピュータ機器、家庭用機器、電熱機器、台所用機器など）が壁面電源メインコンセントから離れている場合には、壁面電源と電気製品とを接続するために、電源入力端子を有するコンセントが使用される。
【０００３】
特に、コンピュータシステムのように、本体、モニタ、プリンタ、スキャナなど複数の機器を作動させるために、１つの電源入力端子から複数のメインコンセントに電源を供給するものとして、複数の機器を同時に作動させるためのマルチコンセントが主に使用されている。
【０００４】
図１は、従来のマルチコンセントを示した斜視図である。
【０００５】
図１を参照すると、従来のマルチコンセント１０は、電気の引き込みを制御するためのスイッチ２０と、このスイッチ２０に電気的に接続された複数のプラグ接続端子３０が一列に並べられた本体部４０とからなる。
【０００６】
しかし、このような従来のマルチコンセントは、プラグ接続端子の内部に微細な埃が入ることで、事故が頻発するという問題があった。
【０００７】
すなわち、従来のマルチコンセントは、プラグ接続端子が外部に露出した構造であるため、プラグ接続端子の内部に微細な埃が積層し、これによって微細な埃によるショート（短絡）が発生することになる。
【０００８】
さらに、従来のマルチコンセントは、使用過程においてケーブル類が複雑に絡まり、周辺が見た目に美しくないという問題点があった。すなわち、従来のマルチコンセントには、様々な電気製品のケーブル類が一か所に集中し、この過程において余剰ケーブルが床に散乱する事態が発生するという問題があった。
【発明の概要】
【発明が解決しようとする課題】
【０００９】
本発明は、上述した従来のマルチコンセントに起因する諸問題点を解決するために案出されたものであり、その目的は、マルチコンセントの構造を改善することによってプラグに接続される接続端子が外部に露出しないようにし、接続端子の内部に微細な埃が入り込むことを防止し、微細な埃による電気事故を未然に防止することは勿論、接続端子に供給される電源を制御するための個別スイッチを外部に露出させて接続端子の制御動作の利便性を向上させることにより、エネルギーの節約及び利便性の向上を可能にした、電気製品に接続されたケーブル類の余剰部分の整理に便利なマルチコンセントを提供することである。
【００１０】
本発明の他の目的は、電気製品の接続過程で発生する余剰ケーブルを収納空間に収納して外部に露出させないことにより、周辺の美観を維持できるようにした、電気製品に接続されたケーブル類の余剰部分の整理に便利なマルチコンセントを提供することである。
【００１１】
本発明のさらに他の目的は、長期間の接続がなされる常時電源供給プラグ接続端子の他に、外部に露出して頻繁な接続動作がなされる随時電源供給プラグ接続端子を別途に設け、電気製品の使用用途に応じて選択的に使用できるようにすることによって使い易さの向上を可能にした、電気製品に接続されたケーブル類の余剰部分の整理に便利なマルチコンセントを提供することである。
【００１２】
本発明のさらに他の目的は、電源接続部に外部電源を供給する電源入力ケーブルの余剰部分を、閉鎖カバー（蓋）に設けられたケーブル巻取ドラムに整理できるようにすることにより、ケーブル類の整理作業をさらにきれいに行えるようにした、電気製品に接続されたケーブル類の余剰部分の整理に便利なマルチコンセントを提供することである。
【００１３】
本発明のさらに他の目的は、プラグ収納体の上部に開口孔を設けることで閉鎖カバーの開閉動作を便利に行えることは勿論、開口孔を通じて収納空間を外部に露出させて収納空間に円滑に風が通るようにすることにより、電気事故を未然に防げるようにした、電気製品に接続されたケーブル類の余剰部分の整理に便利なマルチコンセントを提供することである。
【００１４】
本発明のさらに他の目的は、電気製品の余剰ケーブルをプラグ収納体の下部から収納空間に入れるようにし、余剰ケーブルが床から浮かずに床と接触する状態を維持できるようにすることにより、電気製品を操作したり身体を動かしたりする過程において、余剰ケーブルと身体、または余剰ケーブルと他の物体とが引っ掛かる現象を最小化できるようにすることである。
【課題を解決するための手段】
【００１５】
上述したような課題を解決するための本発明は、複数の電気製品に電源を供給するためのマルチコンセントであって、
【００１６】
内部において、上方に開口した、電気製品のケーブル類の余剰部分及びプラグを収納するための収納空間が画定され、下部において、下方に開口したケーブル余剰部分の進入口が設けられ、底部において、収納空間及びケーブル進入口を連通するための誘導孔が形成され、かつ上縁部において、湾曲した弧形状を有する開口孔が設けられたプラグ収納体と、
【００１７】
収納空間を閉鎖することができるようにプラグ収納体の上縁部に嵌合され、かつ下部においてケーブル巻取ドラムが突出形成された閉鎖カバーと、
【００１８】
電気製品に電源を供給することができるように閉鎖カバーに内設されており、収納空間側に開口した、収納空間に収納されたプラグを電気的に接続するための複数の常時電源供給プラグ接続端子及び、外部に開口した随時電源供給プラグ接続端子が備えられ、各常時電源供給プラグ接続端子において、供給される電源を制御するための個別スイッチが設けられ、ケーブル巻取ドラムの外側において、接続端子に電気的に接続されて外部電源を供給するための電源入力ケーブルが備えられ、閉鎖カバーの上部において、前記電源入力ケーブルに電気的に接続され、それによって供給される電源を制御するためのメインスイッチが設けられた電源接続部とを含むマルチコンセントを提供する。
【発明の効果】
【００１９】
本発明によると、マルチコンセントの構造を改善することによって電気製品に接続される接続端子が外部に露出しないようにし、接続端子の動作を制御するための個別スイッチは外部に露出させることにより、接続端子内に微細な埃が入り込むことによる電気事故を未然に防げることは勿論、便利な動作制御によって利便性を向上させる効果がある。
【００２０】
また、電気製品の使用過程において発生する余剰ケーブルを収納空間に収納して外部に露出させないことにより、マルチコンセントの周辺の美観を維持することができる効果がある。
【００２１】
さらに、電気製品の使用用途に応じ、マルチコンセントに長期間接続して使用する電気製品は常時電源供給プラグ接続端子に接続して使用し、短期間接続して使用する電気製品は随時電源供給プラグ接続端子に接続して使用できるようにすることにより、利便性を向上させる効果がある。
【図面の簡単な説明】
【００２２】
【図１】従来のマルチコンセントを示した斜視図である。
【図２】本発明の好適実施形態に係る、電気製品に接続されたケーブル類の余剰部分の整理に便利なマルチコンセントを示した斜視図である。
【図３】本発明の好適実施形態に係る、電気製品に接続されたケーブル類の余剰部分の整理に便利なマルチコンセントを示した底面斜視図である。
【図４】本発明の好適実施形態に係る、電気製品に接続されたケーブル類の余剰部分の整理に便利なマルチコンセントを示した分解斜視図である。
【図５】本発明の好適実施形態に係る、電気製品に接続されたケーブル類の余剰部分の整理に便利なマルチコンセントのうちで閉鎖カバーを示した背面斜視図である。
【図６】本発明の好適実施形態に係る、電気製品に接続されたケーブル類の余剰部分の整理に便利なマルチコンセントを示した要部断面図である。
【図７】本発明の好適実施形態に係る、電気製品に接続されたケーブル類の余剰部分の整理に便利なマルチコンセントを示した使用状態図である。
【発明を実施するための形態】
【００２３】
以下、添付の図面を参照しながら、本発明の好適実施形態に係る、電気製品に接続されたケーブル類の余剰部分の整理に便利なマルチコンセントについて詳しく説明する。
【００２４】
図２は、本発明の好適実施形態に係る、電気製品に接続されたケーブル類の余剰部分の整理に便利なマルチコンセントを示した斜視図であり、図３は、本発明の好適実施形態に係る、電気製品に接続されたケーブル類の余剰部分の整理に便利なマルチコンセントを示した底面斜視図であり、図４は、本発明の好適実施形態に係る、電気製品に接続されたケーブル類の余剰部分の整理に便利なマルチコンセントを示した分解斜視図であり、図５は、本発明の好適実施形態に係る電気製品に接続されたケーブル類の余剰部分の整理に便利なマルチコンセントのうちで閉鎖カバーを示した背面斜視図であり、図６は、本発明の好適実施形態に係る、電気製品に接続されたケーブル類の余剰部分の整理に便利なマルチコンセントを示した要部断面図である。
【００２５】
図２〜図６を参照すると、本発明のマルチコンセント１００は、上方に開口した収納空間１１１を有するプラグ収納体１１０と、プラグ収納体１１０の上部に取り付けられた閉鎖カバー１２０と、閉鎖カバー１２０に内設された電源接続部１３０とを備えて構成されている。
【００２６】
ここで、プラグ収納体１１０は、電気製品のケーブル類の余剰部分（Ｌ）及びプラグ（Ｐ）を収納し、外部への露出を防止する役割を果たす構成要素である。
【００２７】
プラグ収納体１１０は、その内部において、上方に開口した収納空間１１１が形成されており、下部において、下方に開口したケーブル余剰部分進入口１１３が設けられている。これにより、プラグ収納体１１０を地面に置くと、プラグ収納体１１０の下部の四隅は地面と接触するようになり、ケーブル余剰部分進入口１１３は地面から所定間隔離間した状態となる。
【００２８】
さらに、プラグ収納体１１０は、その底部１１５において、収納空間１１１と進入口１１３とを連通するための誘導孔１１７が形成されており、上縁部において、湾曲した弧形状を有する開口孔１１９が設けられている。
【００２９】
これにより、開口孔１１９によって閉鎖カバー１２０の開閉動作を便利に行えることは勿論、収納空間１１１の風通しがよくなるので、内部に熱がこもることに起因する電気事故を未然に防止することができる。
【００３０】
一方、閉鎖カバー１２０は、収納空間１１１を開閉するための役割を行う構成要素である。
【００３１】
このとき、閉鎖カバー１２０は、その下端がプラグ収納体１１０の上縁部に嵌合されて収納空間１１１内に嵌め込まれており、下部にはケーブル巻取ドラム１２１が突出形成されている。
【００３２】
これにより、本発明のマルチコンセントは、ケーブルの余剰部分の外部への露出を防止すると同時に、使用過程においてプラグが接続する接続端子の外部への露出を防止することにより、周辺の美観を維持することは勿論、微細な埃が入り込むことによる電気事故を未然に防止することができる。
【００３３】
一方、電源接続部１３０は、プラグ収納体１１０内に収納されたプラグ（Ｐ）と、プラグ収納体１１０の外側にあるプラグ（Ｐ）とを接続して電気製品に電源を供給するための役割を行う構成要素である。
【００３４】
このとき、電源接続部１３０には、収納空間１１１側に開口した、収納空間１１１に収納されたプラグ（Ｐ）を電気的に接続するための複数の常時電源供給プラグ接続端子１３１と、マルチコンセント１００の外部に開口した随時電源供給プラグ接続端子１３３が備えられている。
【００３５】
これにより、本発明のマルチコンセント１００に長期間接続して使用する電気製品は、常時電源供給プラグ接続端子１３１に電気的に接続して使用し、本発明のマルチコンセント１００に短期間接続して使用する製品は、随時電源供給プラグ接続端子１３３に電気的に接続して使用することで、利便性を向上させることができる。
【００３６】
また、各常時電源供給プラグ接続端子１３１には、該接続端子により供給される電源を制御するための個別スイッチ１３５が設けられており、ケーブル巻取ドラム１２１の外側には、接続端子１３１、１３３に電気的に接続して接続端子１３１、１３３に外部電源を供給するための電源入力ケーブル１３７が備えられる。また、閉鎖カバー１２０の上部には、電源入力ケーブル１３７に電気的に接続された、該ケーブルにより供給される電源を制御するためのメインスイッチ１３９が設けられている。
【００３７】
これにより、常時電源供給プラグ接続端子を収納空間内に配置し、これらを制御するための個別スイッチを外部に露出させることで接続端子の制御動作を便利に行えるようにすることにより、利便性を向上させることができることは勿論、使用しない接続端子を電源遮断することによって省エネ効果を上げることができるようになる。さらに、マルチコンセント内部に位置する接続端子及びマルチコンセント外部に位置する接続端子をそれぞれ備え、使用者が電気製品の用途に応じて便利に使用できるようにしたが、これによる使用関係について図面を参照しながら詳細に説明する。
【００３８】
図７は、本発明の好適実施形態に係る、電気製品に接続されたケーブル類の余剰部分の整理に便利なマルチコンセントを示した使用状態図である。
【００３９】
図７を参照すると、常時電源供給プラグ接続端子１３１に接続するための電気製品のケーブル類の余剰部分（Ｌ）及びプラグ（Ｐ）を、進入口１１３及び誘導孔１１７を通じて収納空間１１１の内部に位置させる。
【００４０】
これにより、電気製品の接続過程において発生する余剰ケーブル（Ｌ）を収納空間１１１に収納して外部に露出させないことにより、周辺の美観を維持する。
【００４１】
この後、収納空間１１１内のプラグ（Ｐ）を常時電源供給プラグ接続端子１３１に接続する。
【００４２】
このとき、常時電源供給プラグ接続端子１３１に供給される電源の制御は、個別スイッチ１３５によって行う。すなわち、個別スイッチ１３５をＯＮ状態にしておくと常時電源供給プラグ接続端子１３１に電源が供給され、個別スイッチ１３５をＯＦＦ状態にしておくと常時電源供給プラグ接続端子１３１に供給された電源が遮断される。
【００４３】
この後、本発明のマルチコンセント１００の位置及び外部電源供給手段（図示せず）の距離を確認した後、電源入力ケーブル１３７の余剰部分をケーブル巻取ドラム１２１に巻回して整理し、必要な部分を誘導孔１１７及び進入口１１３を通じて外部に配線して外部電源供給手段に接続する。
【００４４】
これにより、電源入力ケーブル１３７は、ケーブル巻取ドラム１２１によって見た目に美しく整理できることは勿論、電源入力ケーブル１３７を通じて常時電源供給プラグ接続端子１３１及び随時電源供給プラグ接続端子１３３に外部電源が供給される。
【００４５】
このとき、電源入力ケーブル１３７を通じて供給される外部電源の制御は、メインスイッチ１３９によって行う。すなわち、メインスイッチ１３９をＯＮ状態にしておくと電源入力ケーブル１３７を通じて外部電源が供給され、メインスイッチをＯＦＦ状態にしておくと電源入力ケーブル１３７を通じて供給された外部電源が遮断される。
【００４６】
これにより、本発明のマルチコンセント１００は、メインスイッチ１３９及び個別スイッチ１３５を利用してそれぞれ一括及び個別の電源制御を可能にする。
【００４７】
この後、プラグ収納体１１０を地面に位置させた状態で、閉鎖カバー１２０を用いてプラグ収納体１１０の上端を閉鎖する。
【００４８】
このとき、随時電源供給プラグ接続端子１３３は、マルチコンセント１００の外部に開口している。これにより、長期間接続して使用する電気製品は常時電源供給プラグ接続端子１３１に電気的に接続して使用し、本発明のマルチコンセント１００に短期間接続して使用する製品は、随時電源供給プラグ接続端子１３３に電気的に接続して使用できるようになる。したがって、本発明は、電気製品の用途に応じて接続端子を選択的に使用し、利便性を向上させることができる。
【図１】
0005827761.tif 000002
【図２】
0005827761.tif 000003
【図３】
0005827761.tif 000004
【図４】
0005827761.tif 000005
【図５】
0005827761.tif 000006
【図６】
0005827761.tif 000007
【図７】
0005827761.tif 000008